(57)【要約】【課題】おむつの内部に装着されたタグとアンテナとの交信を確実に行うことができる液体検出装置を提供する。【解決手段】尿検出装置１１は、おむつ１０に備えられたタグ１２と、おむつ１０の外部に位置してタグ１２に駆動エネルギーを与えると共にタグ１２と信号を授受するアンテナ１６とを備えている。そして、アンテナ１６は、被介護者３４に掛けられた敷布４０に組み込まれた枠状の銅箔から構成されている。アンテナ１６を敷布４０に組み込むことにより、タグ１２とアンテナ１６との交信を良好に行うことが可能となる。【選択図】図１
2011067620.tif 000002
【特許請求の範囲】
【請求項１】
使用者が装着するおむつに取り付けられたパッシブ型のＲＦＩＤタグと、
前記おむつの外部に位置し、前記ＲＦＩＤタグに駆動エネルギーを与えると共に前記ＲＦＩＤタグと信号を授受するリーダアンテナと、
前記ＲＦＩＤタグと前記リーダアンテナとの通信状況の変化を基に、前記おむつの内部に存在する水分を検出する制御装置と、を備え、
前記リーダアンテナは、前記使用者に掛ける敷布の主面または内部に組み込まれることを特徴とする液体検出装置。
【請求項２】
前記リーダアンテナは、枠状に配置された細長の導電箔から成ることを特徴とする請求項１記載の液体検出装置。
【請求項３】
（用途限定）
前記敷布は、スプリングベッドに横臥した前記使用者に掛けられて使用される、または、椅子に座席した前記使用者に掛けられ使用される請求項１または２記載の液体検出装置。
【請求項４】
前記リーダアンテナの幅は、前記使用者の胴体の幅よりも狭いことを特徴とする請求項１から３のいずれか１項に記載の液体検出装置。
【請求項５】
前記敷布を前記使用者に掛けた状態で、前記使用者が横たわる前記スプリングベッド、または、前記椅子に前記リーダアンテナが接しないことを特徴とする請求項４記載の液体検出装置。
【請求項６】
前記リーダアンテナを貫く方向の通信範囲を、前記使用者の体の厚みよりも長くすることを特徴とする請求項５記載の液体検出装置。
【請求項７】
前記おむつの中の水分は、前記使用者が排泄した尿であることを特徴とする請求項６記載の液体検出装置。
【請求項８】
前記制御装置では、前記ＲＦＩＤと前記リーダアンテナとの通信状況の変化を基に、前記おむつの内部における尿の存在の有無を判断することを特徴とする請求項７記載の液体検出装置。
【請求項９】
前記制御装置では、前記ＲＦＩＤと前記リーダアンテナとの通信が途絶えてから復帰するまでの時間を基に、前記使用者が排泄した尿の量を算出することを特徴とする請求項８記載の液体検出装置。
【発明の詳細な説明】
【技術分野】
【０００１】
本発明は、ＲＦＩＤタグとアンテナとの交信状況から、尿や血液等の液体を検出する液体検出装置に関する。
【背景技術】
【０００２】
寝たきりの被介護者の介護にはおむつが用いられており、この被介護者が言葉をうまく発音できない等の原因により尿意を介護者に伝えられない状況では、予め決められた時刻または一定時間毎におむつを交換している。しかしながら、被介護者が失禁した後に長時間経過すると、尿による臭いが充満したり、おむつかぶれが発生する恐れが大きい。
【０００３】
また、介護者にとっても、おむつを開けなければその内部の状況は把握できないので、失禁をしていない被介護者のおむつを開けてまた付け直すことが頻繁に発生してしまい、不要な労力が発生してしまうと共に、被介護者の睡眠が妨害される問題もある。そのため、介護者がおむつを開けなくとも、失禁を感知することができる失禁センサが開発されている。
【０００４】
この失禁センサとして、電極、湿気センサ、カメラ、熱電素子を用いた方法が提案されている。しかしながら、これらの方法は、大型で装着時に被介護者が違和感を感じるものであったり、介護者が被介護者の所まで行き失禁の有無を確認する必要があったり、おむつから配線が出ているような見栄えが悪いものであった。
【０００５】
更に、失禁センサとして、使い捨てるタイプの送信機をおむつの内部に装着し、おむつの外部に受信機を備え、無線により失禁を検出する装置もある。しかしながら、このタイプの装置では、送信機の装着感があったり、電池の交換に手間がかかる等の問題があった。更には、送信機を構成する配線が、おむつの使用時に伴う屈曲動作で断線してしまう等の問題もあった。
【０００６】
また、下記特許文献１を参照すると、パッシブ型のＲＦＩＤタグを使用したおむつ濡れ報知表示装置が開示されている。当該特許文献の図１等を参照すると、おむつの内部に備えられた濡れ検出センサにより尿を検出し、検出された尿等のデータをＲＦ−ＩＤタグから表示装置に送信している。そして、表示装置では、入力されたデータに基づいて、失禁の回数または失禁してからの時間を表示している。
【先行技術文献】
【特許文献】
【０００７】
【特許文献１】特開２００５−６０２号公報
【発明の概要】
【発明が解決しようとする課題】
【０００８】
しかしながら、上記した特許文献１には、ＲＦＩＤタグと通信するアンテナの設置箇所に関して何ら開示されていない。
【０００９】
ＲＦＩＤタグとアンテナとの距離が遠すぎると、両者が通信不可な状態となり、尿などの液体の存在やその量を、両者の通信状況から推定することができなくなる。一方、ＲＦＩＤタグとアンテナとの距離を接近させるために、例えば、ＲＦＩＤタグをおむつの内部に装着し、アンテナをおむつの外側に貼着する方法が考えられる。しかしながら、そのようにすると、おむつの交換に伴いＲＦＩＤタグとアンテナの両方が破棄されることとなり、尿検出装置を付与することによりコストが非常に高くなってしまう。
【００１０】
本発明は上記した問題を鑑みて成されたものであり、本発明の主たる目的は、おむつの内部に装着されたタグとアンテナとの交信を確実に行うことができる液体検出装置を提供することにある。
【課題を解決するための手段】
【００１１】
本発明の液体検出装置は、使用者が装着するおむつに取り付けられたパッシブ型のＲＦＩＤタグと、前記おむつの外部に位置し、前記ＲＦＩＤタグに駆動エネルギーを与えると共に前記ＲＦＩＤタグと信号を授受するリーダアンテナと、前記ＲＦＩＤタグと前記リーダアンテナとの通信状況の変化を基に、前記おむつの内部に存在する水分を検出する制御装置と、を備え、前記リーダアンテナは、横臥した状態の前記使用者に掛ける敷布の主面または内部に組み込まれることを特徴とする。
【発明の効果】
【００１２】
本発明によれば、横臥する使用者に掛けられる敷布に、ＲＦＩＤタグと通信するアンテナを組み込んだので、ＲＦＩＤタグとアンテナとの距離が適正なものとなり、両者の通信を良好に行うことが可能となる。
【００１３】
更に、使用者が排出した尿によりおむつを交換する場合でも、おむつと共に廃棄されるのは比較的安価なＲＦＩＤタグのみである。一方、アンテナはおむつと共に破棄されることはなく、敷布として長期間連続して使用できるので検出装置を導入することによるコスト増加が抑制される。
【００１４】
更にまた、使用者がスプリングベッドに横臥した状態の場合、アンテナとスプリングベッドとが接近しすぎると、スプリングベッドに内蔵されたスプリングから発生する反磁界により、アンテナとＲＦＩＤタグとが通信不能となる。本発明では、敷布にアンテナを配置させることで、使用者の胴体によりアンテナとスプリングベッドとが離間するので、スプリングベッドから発生する反磁界により通信が阻害されることが無い。
【００１５】
また、使用者が、横になったり、裏返ったりしても、アンテナは、敷布で使用者に掛けられているので、通信が阻害されることが少ない。
【図面の簡単な説明】
【００１６】
【図１】本発明の液体検出装置の一例である尿検出装置を示す図であり、（Ａ）は液体検出装置およびその使用状況を示す平面図であり、（Ｂ）は断面図であり、（Ｃ）はアンテナの構成を示す平面図である。
【図２】本発明の液体検出装置の一例である尿検出装置を示す図であり、（Ａ）は液体検出装置の構成を示す図であり、（Ｂ）はタグの構成を示す斜視図である。
【図３】本発明の液体検出装置の一例である尿検出装置を示す概略図である。
【図４】本発明の液体検出装置の一例である尿検出装置により尿を検出する方法を示すフローチャートである。
【図５】本発明の液体検出装置の一例である尿検出装置で尿量を測定する方法を示す図であり、（Ａ）−（Ｃ）は断面図である。
【図６】本発明の液体検出装置の一例である尿検出装置で尿量を測定するために行われた結果を示すものであり、（Ａ）と（Ｂ）はグラフである。
【図７】本発明の液体検出装置の一例である尿検出装置で尿量を測定するために行われた結果を示す表である。
【図８】本発明の液体検出装置の一例である尿検出装置で尿量を測定するために行われた結果を示すものであり、（Ａ）−（Ｃ）は表である。
【図９】本発明の液体検出装置の一例である尿検出装置で尿量を測定するために行われた結果を示すものであり、（Ａ）と（Ｂ）はグラフである。
【図１０】本発明の液体検出装置の一例である尿検出装置で尿量を測定するために行われた結果を示すものであり、（Ａ）と（Ｂ）はグラフである。
【図１１】本発明の液体検出装置の一例である尿検出装置で尿量を測定するために行われた結果を示すグラフである。
【図１２】本発明の液体検出装置の一例である尿検出装置で尿量を測定するために行われた結果を示すものであり、（Ａ）と（Ｂ）はグラフである。
【図１３】本発明の液体検出装置の一例である尿検出装置で尿量を測定するために行われた結果を示すものであり、（Ａ）と（Ｂ）はグラフである。
【図１４】本発明の液体検出装置の一例である尿検出装置で尿量を測定するために行われた結果を示すものであり、（Ａ）と（Ｂ）はグラフである。
【図１５】（Ａ）および（Ｂ）は、尿に作用する表面張力を説明するための図である。
【図１６】発明の液体検出装置の一例である尿検出タグを示す断面図である。
【図１７】発明の液体検出装置の一例である尿検出タグを示す図であり、（Ａ）乃至（Ｄ）はタグに備えられる突起部の断面図である。
【図１８】発明の液体検出装置の一例である尿検出タグに備えられる突起部を示す斜視図である。
【図１９】発明の液体検出装置の一例である尿検出タグに備えられる貫通孔を示す断面図である。
【図２０】（Ａ）および（Ｂ）は、発明の液体検出装置の一例である尿検出タグを用いた実験結果を示すグラフである。
【発明を実施するための形態】
【００１７】
本発明の液体検出装置の詳細を以下に説明する。以下の説明では、検出する液体の一例として、使用者が排泄した尿を例示するが、検出される液体としては尿以外も採用可能である。具体的には、使用者（被介護者）の血液や汗を本形態の検出装置により検出することができる。本形態の検出装置により使用者の血液を検出することで、例えば輸血や手術等の医療行為にて外部に流出した血液を検出することができる。また、本形態の検出装置により使用者から発生した汗を検出することで、褥痩を予防することができる。ここで検出とは、例えばおむつの内部に一定量以上の尿が存在するか否かを判断することや、おむつの内部に排出された尿の量を推定することを含む。
【００１８】
＜第１の実施の形態＞
本形態では、図１から図４を参照して、本形態の尿検出装置の構成およびそれを用いた尿の検出方法を説明する。
【００１９】
図１を参照して、尿検出装置１１の構成を説明する。図１（Ａ）は尿検出装置１１が被介護者（使用者）に対して用いられている状態を示す図であり、図１（Ｂ）は図１（Ａ）の状態の断面図であり、図１（Ｃ）はアンテナ１６の構成を詳細に示す平面図である。
【００２０】
図１（Ａ）を参照して、本実施の形態の尿検出装置１１は、おむつ１０に備えられたタグ１２と、敷布４０に配置されてタグ１２に駆動エネルギーを与えると共にタグ１２と信号を授受するアンテナ１６とを主要に備えた構成となっている。
【００２１】
そして、本実施の尿検出装置１１では、一定間隔にてタグ１２とリーダ１４（アンテナ１６）とが通信を行っており、この通信の状況が変化することでおむつ１０を使用する被介護者３４の失禁を検出している。即ち、タグ１２とリーダ１４（アンテナ１６）との交信が正常に行えたら、おむつ１０を使用している被介護者は失禁していないと判断する。一方、タグ１２とリーダ１４との交信が一定時間以上途絶えたら、尿がタグに１２に接触した（即ち、被介護者が失禁した）と判断する。また、後述するように、交信の再開にかかる時間から、被介護者が排出した尿の量を推定することも可能となる。
【００２２】
タグ１２は、紙おむつに代表されるおむつ１０に備えられている。タグ１２は、おむつ１０の内側の面に貼着されても良いし、おむつ１０自体に内蔵されても良い。本実施の形態では、タグ１２はパッシブ型のものであり、リーダ１４から与えられた駆動エネルギーによりＩＣが必要な処理を行い、この処理により生成されたデータを搬送波に乗せてリーダ１４に送信する機能を有する。この種のタグは、ＲＦＩＤ（Ｒａｄｉｏ  Ｆｒｅｑｕｅｎｃｙ  Ｉｄｅｎｔｉｆｉｃａｔｉｏｎ）タグ、無線ＩＣ、ＩＣタグ、ＲＦタグ等と称されている。ここでは、１つのみのタグ１２が示されているが、リーダ１４のアンチコリジョン機能を活用することで、おむつ１０の内部に複数のタグ１２を配置しても良い。
【００２３】
アンテナ１６は、タグ１２が駆動するための電磁波を発生させると共に、タグ１２から送信された電波を受信する機能を有する。リーダ１４は、有線にてアンテナ１６と電気的に接続されており、リーダ１４のアンテナ１６からは制御情報を含む電磁波がタグ１２に対して発信されている。
【００２４】
パッシブ型のタグ１２が電力を得る方法は、電磁誘導方式と電波方式がある。電磁誘導方式では磁界により電力を発生させるため、電波を使用しておらず、水分が近くにあっても比較的通信が可能である。一方、電波方式は、電波エネルギーを電力に変換する方法であり、電磁誘導方式と比べて通信距離が長い（ＵＨＦ帯の場合で５〜６ｍ）が、水による影響が大きいため、水分に囲まれると電波は吸収され通信不能になる。従って、本実施の形態では水分である尿を扱うため、タグ１２が電力を得る方法としては、電磁誘導方式の方が好適である。本実施形態では、ＲＦＩＤタグ１３として、１３．５６ＭＨｚ帯のものを用いる。
【００２５】
図１（Ａ）を参照して、本形態では、アンテナ１６は横臥した状態の被介護者３４に掛けられる敷布４０に組み込まれている。敷布４０としては、アンテナ１６を設置するための専用の布でも良いし、通常使用される毛布や布団にアンテナ１６が組み込まれても良い。更に、アンテナ１６が組み込まれる方法としては、敷布４０の繊維と共に織り込まれても良いし、敷布４０に内蔵されても良いし、敷布４０の上面または下面にアンテナ１６が貼着されても良い。
【００２６】
図１（Ｂ）を参照して、本形態の尿検出装置１１は、スプリングベッド４２の上面に横臥する被介護者３４に対して使用される。被介護者３４には敷布４０が掛けられ、アンテナ１６はこの敷布４０に組み込まれている。
【００２７】
ここで、スプリングベッド４２の内部には、金属から成る多数のスプリング４４が内蔵されている。従って、タグ１２に駆動エネルギーを与えるためにアンテナ１６から磁界を発生させると、金属であるスプリング４４から発生した反磁界により、アンテナ１６から発生した磁界が打ち消される現象が発生する。アンテナ１６とスプリング４４との距離が一定以上に短くなると、この打ち消しの現象により、両者の間に配置されたタグ１２とアンテナ１６とが通信不能となってしまう。
【００２８】
本形態では、反磁界により通信不能となる現象を避けるため、アンテナ１６をスプリングベッド４２の上面から一定以上離間させている。例えば、スプリングベッド４２の上面とアンテナ１６とが離間する距離Ｌ３を２０ｃｍ以上とすることにより、上記した打ち消しの現象を緩和させることが可能であることが判明している。
ここで、スプリングベッド４２にスプリングのような金属製部材が使用されず、反磁性を考慮する必要がない場合を考える。アンテナ１６を有する敷布４０を、被介護者３４の下部に敷いた場合と、上部に掛けた場合では、上部に掛けた方が、通信が安定化できる。なぜなら、被介護者３４が、体動すると、下部に敷いた敷布４０は変形し、アンテナも変形し、安定した通信ができない、一方、上部に掛けた場合では、敷布は変形せず、アンテナも変形せず、安定した通信ができる。
【００２９】
特に、被介護者３４が横を向いた時に、スプリングベッド４２の変形が大きく、下部に敷いた敷布４０では、通信が安定しない。また、上部に掛けた方が、敷布４０に力がかからず、長期間使用できる。位置ずれに関しても、位置ずれが通信状況で判明した場合でも、上部に敷布４０掛けた方が位置ずれの修正をしやすい。位置ずれで通信ができない場合、看護師、付き添いなどが、上に掛けた掛け敷布４０を掛けなおせばよいが、敷布４０を下部に敷いていた場合には、被介護者３４を移動させる必要がある。
また、下部に敷いていると局所的なダメージがアンテナに入り安定した通信ができない、または、破損のおそれが高い、また、尿、水などで、敷布４０がぬれてしまい通信できなくなる場合がある。
【００３０】
さらに、上部に掛けていると、被介護者３４の体にそって、敷布４０が曲がり、アンテナ１６とタグ１２との距離が全体として一定となるが、下に敷くと、敷布４０が平面で位置し、アンテナ１６とタグ１２との距離が、端部と中央とで差異が大きくなり、少しの位置変化で通信に影響がでやすい。
【００３１】
ここでは、被介護者３４の体の厚みによりアンテナ１６をスプリング４４から所定以上離間させている。具体的には、アンテナ１６が被介護者３４の上面に配置されるように、敷布４０を被介護者３４に掛けることにより、アンテナ１６がスプリングベッド４２の上面から離間される。即ち、アンテナ１６がスプリングベッド４２の上面に接触せず、結果的に反磁界による打ち消しが抑制される。
【００３２】
更にまた、本形態では、アンテナ１６を貫く方向の通信範囲（アンテナ１６から発生された磁界が紙面上にて縦方向に及ぶ範囲）が、被介護者３４の導体の厚み（Ｌ３）よりも長く設定されている。この様にすることで、アンテナ１６をスプリングベッド４２から離間して配置しても、被介護者３４が装着したおむつ１０に内蔵されたタグ１２とアンテナ１６とが通信可能となる。
【００３３】
図１（Ｃ）を参照して、アンテナ１６の更に具体的な構成を説明する。アンテナ１６は、枠状に配置された細長の導電箔（例えば銅箔）から構成されている。ここで、被介護者３４に対して横方向のアンテナ１６の長さをＬ１、被介護者３４に対して縦方向のアンテナ１６の長さをＬ２とした場合、Ｌ１の長さは例えば２５ｃｍ以上３５ｃｍ以下（一例として３０ｃｍ）であり、Ｌ２の長さは例えば５０ｃｍ以上６０ｃｍ以下（一例として５５ｃｍ）であった。
【００３４】
アンテナ１６の横方向の幅Ｌ１を２５ｃｍ以上３５ｃｍ以下とすることにより、幅Ｌ１が、一般的な被介護者３４の胴体の幅よりも短くなる。このことから、図１（Ｂ）を参照して、アンテナ１６が内蔵された敷布４０を被介護者３４に掛けると、被介護者３４の胴体の上方にアンテナ１６が配置されることとなる。従って、被介護者３４の胴体により、アンテナ１６をスプリングベッド４２から所定以上離間させることが可能となり、上記したスプリング４４から発生する反磁界による不具合が回避される。
【００３５】
ここで、リーダ１４とアンテナ１６とは、接続線４６および接続線４８を経由して電気的に接続される。また、接続線４６がアンテナ１６と接続される箇所と、接続線４８がアンテナ１６と接続される箇所とは、左右対称となるように配置されている。
【００３６】
図２を参照して、尿検出装置１１の詳細を、タグ１２を中心に説明する。図２（Ａ）は尿検出装置１１のメカニズムを示す図であり、図２（Ｂ）はタグ１２の構成を詳しく示す斜視図である。
【００３７】
図２（Ａ）を参照して、被介護者３４が装着したおむつ１０にはタグ１２が内蔵されており、おむつ１０の外部にタグ１２と通信を行うアンテナ１６およびリーダ１４が配置されている。アンテナ１６は、上記したようにタグ１２に対して電磁波（磁界）を発生させることによりタグ１２を駆動させ、更に、タグ１２から発生されたデータを受信する機能を備えている。
【００３８】
更に、リーダ１４は、通信制御部１８と演算部２０から構成されている。演算部２０は
情報を記録するメモリと、このメモリの読み書き、演算、認証、暗号化等を行うロジック回路とから構成されている。そして、通信制御部１８は、アンテナ１６を経由したタグ１２との通信を制御する部位である。
【００３９】
次に、図２（Ａ）および図２（Ｂ）を参照して、尿検出装置１１により尿を検出するメカニズムに関して述べる。
【００４０】
先ず、リーダ１４のアンテナ１６からは、強さが１．５Ａ／ｍ〜７．５Ａ／ｍ程度の電磁波（磁界）が発生している。この磁界による電磁誘導の作用により、タグ１２のコイル状のアンテナ２２に、例えば１３．５６ＭＨｚの交流電圧が起電される。そして、起電された交流電圧を、ＩＣチップ２４に内蔵された整流回路により直流電圧に変換している。ここで、ＩＣチップ２４を駆動させるためには、一般的には３Ｖ、低電圧のもので１．８Ｖの電圧が必要とされる。
【００４１】
電磁誘導により電源を確保したタグ１２は、アンテナ２２で受けた電波が反射して再び放出される量を制御する負荷変調をすることでリーダ１４と交信する。負荷変調としては、振幅を替える振幅変調（ＡＳＫ）、周波数を変える周波数変調（ＦＳＫ）および位相を変える位相変調（ＰＳＫ）があり、何れも本実施形態に採用可能である。
【００４２】
本実施の形態では、リーダ１４のアンテナ１６から電磁波を一定間隔にて発生させ、リーダ１４とタグ１２とが交信している時は、タグ１２に尿が付着していない（即ち被介護者が失禁していない）と判断している。
【００４３】
一方、被介護者が失禁してタグ１２に尿が付着すると、タグ１２とリーダ１４との交信が不能となる。この様に交信ができなくなる原因は、電解質を含む尿がタグ１２に付着すると、この電解質を電流が通過し、タグ１２のアンテナのインダクタンス、キャパシタンス等の容量が変化し、共振周波数が変動することでＱ値が低下して共振せず、結果的にアンテナ２２の起電力がＩＣの駆動電圧に到らないことであると考えられる。
【００４４】
ここで、この交信ができなくなる現象は、タグ１２のアンテナ２２に直に尿が接触した場合に発生する。更には、アンテナ２２が樹脂層により被覆された場合でも、この樹脂層に尿が付着すると交信ができなくなる。
【００４５】
実験によれば、食塩水をＲＦＩＤタグ１３の上面に滴下すると、１滴の場合はタグが起電する電圧が２．５Ｖ程度まで低下し、２滴以上滴下するとこの電圧が２．１Ｖ以下となり交信がとぎれてしまう。従って、本実施の形態によれば、極めて少量の尿漏れもタグ１２により検出可能となる。
【００４６】
更に、塩分等を含まない水道水をＲＦＩＤタグに滴下した場合は、タグが起電する電圧はそれほど低下せず、交信はとぎれないことが実験により判明した。従って、おむつ１０の内部の蒸れによってできる水分がタグ１２に付着しても、タグ１２の交信が途絶えることは無い。しかしながら、おむつ１０の汗による蒸れが一定以上に成ると、上記した通信が阻害されるので、本形態のタグ１２を、汗を検出するための装置として用いることも可能である。
【００４７】
図２（Ｂ）を参照して、タグ１２の構成を詳述する。タグ１２は、ＲＦＩＤタグ１３と排水シート２８とが重畳された構成となっており、尿が排出される空間がＲＦＩＤタグ１３の下方に確保されている。
【００４８】
本実施の形態では、ＲＦＩＤタグ１３として、Ｔｅｘａｓ  Ｉｎｓｔｒｕｍｅｎｔｓ社製ＲＩ−Ｉ０２−１１２ＢのＲＦＩＤタグを用いた。このタグは、厚みが０．０５ｍｍ程度の薄いＰＥＴ（Ｐｏｌｙｅｔｈｙｌｅｎｅ  ｔｅｒｅｐｈｔｈａｌａｔｅ）から成る基板の上面に、薄い導電箔を渦巻き状に形成したアンテナ２２とＩＣチップ２４等が配置されている。従って、このタグは、非常にフレキシブルであり最小曲げ半径は１８ｍｍ程度である。このタグ一枚当たりの単価は現在１００円となっており、安易に使い捨てできない価格であるが、従来の物品管理の手法であるバーコードの代わりとしての利用されると大量生産されるので、コストが安くなり、使い捨てが容易になると考えられる。また、ＲＩ−Ｉ０２−１１２ＢはＩＳＯ１５６９３の規格に準拠しているため、通信に必要な磁界の強さは１．５〜７．５Ａ／ｍとなる。
【００４９】
ＲＦＩＤタグ１３の上面および下面は、シリコン樹脂等の絶縁性樹脂により被覆されても良い。この様にすることで、ＩＣチップ２４への尿の付着が防止される。
【００５０】
更に、ＲＦＩＤタグ１３の中央部付近を四角形形状にくり抜いて開口部２６が設けられている。この開口部２６は、尿を通過させて排水を良好にするためのものである。
【００５１】
排水シート２８は、シリコン樹脂を所定形状に一体的に成形したものであり、薄い板状の基材３０の上面から突起部３１が上方に突出した形状を有している。ここで、図２（Ｂ）を参照して、突起部３１の上端がＲＦＩＤタグ１３の下面に接触することで、突起部３１の高さに対応した空間が、ＲＦＩＤタグ１３の基板１５の下面と排水シート２８の基材３０の上面との間に確保される。
【００５２】
突起部３１は、基材３０の上面に等間隔に離間して複数が配置されており、突起部３１同士が互いに離間する距離は４．６６ｍｍ程度である。また突起部３１の高さは１．６６ｍｍ程度であり、幅は１．０ｍｍ程度である。図では、突起部３１は円錐形状であるが、他の形状も採用可能であり、角錐形状、円柱形状または角柱形状等でも良い。
【００５３】
貫通孔３２は、基材３０を部分的に貫通して設けられており、基材３０に等間隔に複数個が配置されている。貫通孔３２の直径は例えば１．０ｍｍ程度である。貫通孔３２を経由して、ＲＦＩＤタグ１３に付着した尿は外部（おむつ）に排出されて吸収される。
【００５４】
また、上記した排水シート２８として人工芝を用いることも可能である。その理由は、人工芝は、排水性、柔軟性およびコスト性に優れているからである。さらにまた、排水シート２８の裏面には、タグ１２をおむつ１０に貼着させるための、接着剤から成る接着層が設けられても良い。
【００５５】
上記した構成のタグ１２によると、ＲＦＩＤタグ１３に尿が付着した後に、ＲＦＩＤタグ１３と排水シート２８との空間を経由して尿がタグ１２の外部に放出される。従って、タグ１２に尿が付着してタグ１２とリーダ１４との交信が途絶えても、タグ１２に付着した尿は素早く外部に放出されるので、タグ１２とリーダ１４との交信は数十秒程度で回復される。そしてその後に、タグ１２に尿が再び付着してリーダ１４との交信が途絶えるとことで、再度の失禁を検出できる。このことから、１つのタグ１２により被介護者の複数回の失禁を検出することが可能となる。
【００５６】
更に、上記構成のタグ１２は、使用状況下にて被介護者が体動することによりストレスが加わっても、柔軟に変形するので、このストレスよりアンテナ２２が断線する問題が緩和されている。
【００５７】
また、上記の説明では、積層されたＲＦＩＤタグ１３および排水シート２８からタグ１２を構成したが、排水シート２８を使用せずに、ＲＦＩＤタグ１３のみをタグ１２として使用することも可能である。この様にすることで、タグ１２自体が安価となり、尿検出装置を導入することによるコストの増加を抑制できる。
【００５８】
図３を参照して、次に、上記した尿検出装置１１を備えた尿検出システムの構成を説明する。この図を参照すると、上記と同様に、タグ１２は被介護者３４が使用するおむつに備えられている。リーダ１４のアンテナ１６は、被介護者３４に掛けられる敷布にループ状に形成されている。そして、被介護者３４が失禁することによりタグ１２とリーダ１４との交信が一定時間以上途絶えると、サーバであるコンピュータ３６（制御装置）に失禁情報が記録される。この失禁情報としては、例えば、「いつ失禁したのか」、「失禁した時間帯の回数はいくらか」、「失禁の総回数はいくらか」、「尿量はどの程度か」等が挙げられる。そして、この失禁情報を経時的に取得して蓄積することにより、介護者または医師が被介護者の生活リズムを把握しやすくなり、被介護者毎の状態に合った介護および治療が可能となる。
【００５９】
コンピュータ３６に失禁情報が記録された後、介護者３８が所有しているＰＤＡ（Ｐｅｒｓｏｎａｌ  Ｄｉｇｉｔａｌ  Ａｓｓｉｓｔａｎｔｓ）端末に失禁情報が通知され、介護者３８が被介護者３４のおむつを交換する。このことにより、介護者３８がおむつを開けなくとも失禁の有無を確認することができるので、効率的に介護が行われる。また、タグ１２は安価であるので使い捨てできるので、タグ１２を備えたおむつは通常のものと同様に使用可能である。
【００６０】
図４のフローチャートに基づいて、図１を参照しつつ、上記した尿検出装置１１により尿を検出する方法を説明する。
【００６１】
先ず、システムを起動させ（ステップＳ１１）、尿を検出する為のループを開始する（ステップＳ１２）。ここでは、Ｔｉｍｅｒを１秒間と設定し、この間隔にてリーダ１４によるタグ１２の読み取りを行う。更に、ＰＣ（パーソナルコンピュータ）にてリーダ１４を操作する場合は、リーダ１４に付属のＵＳＢポートをＲＳ２３２Ｃポートとして認識させるドライバーをＰＣにインストールしておく。
【００６２】
次に、リーダ１４の通信範囲にタグ１２が存在するか否かを判断する（ステップＳ１３）。換言すると、リーダ１４とタグ１２とが通信可能か否かを判断する。タグ１２が存在したらステップＳ１４に移行し、存在しなければ（通信不可であれば）ステップＳ１８に移行する。
【００６３】
ステップＳ１４では、タグ１２のＩＣチップ２４からデータを読み出してプログラムに記憶する。タグ１２のＩＣチップ２４には、被介護者の名称などを示す個別データが書き込まれており、このデータが読み出される。
【００６４】
ステップＳ１５では、先ステップにより読み出されたデータと、既に読み出されてメモリに記憶されているデータとを比較し、同一であるか否かを判断する。データが同一である場合は、同じタグと交信しているものと判断し（ステップＳ１５のＹＥＳ）、変数Ｃｏｕｎｔを０とする。そして、ステップＳ１７を経由してステップＳ１２に戻る。
【００６５】
一方、読み出したデータとメモリの内部のデータが一致しなければ、ステップＳ１８に移行する（ステップＳ１５のＮＯ）。
【００６６】
ステップＳ１８では、メモリの内部にデータが有るか否かを確認し、データが有れば（ステップＳ１８のＹＥＳ）、変数Ｃｏｕｎｔを１つ増加させる（ステップＳ１９）。一方、メモリの内部にデータが無ければ（ステップＳ１８のＮＯ）、ステップＳ２２に移行する。
【００６７】
ステップＳ２０では、変数Ｃｏｕｎｔが１０以上か否かを判断し、変数Ｃｏｕｎｔが１０以上であれば、タグとの交信が１０秒間以上途絶えているので、失禁を検知したと判断する（ステップＳ２１）。そして、変数Ｃｏｕｎｔが１０未満であれば、ステップＳ２２を経由して、ステップＳ１２に戻る。
【００６８】
ステップＳ２１では、失禁が検出された時間をコンピュータから読み出し、失禁時刻として記録する。更に、予め指定しておいたＩＰ  Ａｄｒｅｓｓを振り分けられた端末やパソコンにその情報を知らせる。そして、必要に応じて失禁を介護者に報知する。これらのデータを長期間に渡り取得することで、被介護者が失禁しやすい時間帯が統計的に解るようになり、個々の被介護者のおむつ交換やバイタルサインが取得でき、被介護者のそれぞれに併せた適切な介護が可能となる。
【００６９】
更に、本実施の形態で用いられるタグ１２は排水シート２８を備えた構成と成っているので、検出された尿は素早くタグ１２から離間する。従って、タグ１２に尿が付着することにより、タグ１２とリーダ１４との交信が一定時間途絶えても、タグ１２に付着した尿はキレよく排水されておむつ１０に吸収され、タグ１２とリーダ１４との交信は回復する。タグ１２に付着した尿が良好に排水されなければ、１つのタグ１２により１回の失禁は検出可能ではあるが、タグ１２とリーダ１４との通信が回復されないので、複数回の失禁を検出することはできない。一方、本実施形態では、ＲＦＩＤタグ１３の下面に貼着された排水シート２８により尿がキレよくタグ１２の外部に排水されるので、タグ１２とリーダ１４との交信は回復されて複数回の失禁を検出することが可能となる。
【００７０】
以上が尿の有無を検出する方法の説明であるが、上記した検出方法は尿量を検出するために使用することも可能である。この場合は、上記したステップＳ２０の後に、通信が復帰するまでの時間を計測し、計測された時間から尿量を算出するステップが必要とされる。尿量を特定する具体的な方法に関しては、後述の第２の実施の形態にて説明する。
【００７１】
ここで、上記の説明ではＲＦＩＤタグ１３と排水シート２８とを重畳させてタグ１２として用いたが、排水シート２８を省いてＲＦＩＤタグ１３のみをおむつの内部に装着して用いることも可能である。
【００７２】
＜第２の実施の形態＞
本形態では、図５から図１４を参照して、上記した構造の尿検出装置を用いて尿量を測定する方法を説明する。
【００７３】
本形態では、上記した第１の実施の形態で使用された尿検出装置１１（図１参照）を用いて、使用者がおむつに排出した尿量を測定する事項を説明する。具体的には、図２（Ｂ）を参照して、おむつに内蔵されるタグ１２は、タグに接触した尿を排出させる排水シート２８を備えているので、尿によりＲＦＩＤタグ１３とアンテナとの更新が途絶えても、一定時間経過すると交信が復帰する。また、この復帰に要する時間は使用者がおむつに排出した尿と相関関係があると予測される。このことから、本形態では、リーダ（アンテナ）とＲＦタグ１２の交信が途絶えた状態から復帰するまでの時間を測定することにより、排尿量の検出を行う。
【００７４】
先ず、図５（Ａ）を参照して、使用者が排出する尿と排水シートとの関係を数式により説明する。ベルヌーイの定理より、排水時間Ｔは、ＲＦタグ１３の面積Ａ、ＲＦタグ１３と排水シート２８の高さＨ、貫通孔の個数ｎ、一つの貫通孔の流量Ｑとしたとき、式１で求めることができる。ここでＴとは、ＲＦＩＤタグ１３の交信が途絶えてから復帰するまでに必要とされる時間である。
式１：Ｔ＝（Ａ×Ｈ）／（ｎ×Ｑ）
ここで、水の量Ｌ＝Ａ×Ｈとすると、
式２：Ｌ＝（ｎ×Ｑ）×Ｔ
となる。また、Ｑは、水の流水係数ｃ、貫通孔の面積ａ、重量加速度ｇとすると、
式３：Ｑ＝ｃａ（２ｇＨ）１／２
と表せる。
【００７５】
これらの式より、排水シート２８の最適な形状の設計は行われている。排水シート２８は、板状体の基材３０と、基材３０の上面から円錐状に突出する突起部３１と、基材３０を貫通して設けた貫通孔３２とからとから構成されている。また、排水シート２８の材料としてはシリコーン樹脂等の樹脂材料が採用される。なお、排水シート２８の好適な形状に関しては、後述する第３の実施の形態にて説明する。
【００７６】
図５の各図を参照して、ＲＦＩＤタグ１３を用いて尿量を測定する原理を説明する。
【００７７】
図５（Ａ）に示すように、ＲＦＩＤタグ１３と排水シート２８とから成るタグ１２は、おむつ１０の内部に貼着されている。そして、タグ１２に尿が付着していない初期の段階では、ＲＦＩＤタグ１３は、おむつ１０の外部に配置されたアンテナと通信可能な状態とされている。
【００７８】
図５（Ｂ）を参照して、次に、使用者から尿５２が排出されると、ＲＦＩＤタグ１３と排水シート２８との間に尿５２が介在することとなる。この様になると、尿５２に含まれる塩分により、ＲＦＩＤタグ１３とアンテナ（リーダ）との交信が一時的に途絶える。
【００７９】
図５（Ｃ）を参照して、ＲＦＩＤタグ１３と排水シート２８との間に位置する尿５２は、排水シート２８に設けられた貫通孔３２を経由して、おむつ１０に移動して吸収される。この様になると、尿５２がＲＦＩＤタグ１３に与える影響が小さくなるので、ＲＦＩＤタグ１３とアンテナとの交信が再開される。
【００８０】
本形態では、上記したように、交信が停止してから復帰するまでの時間を計測して、この復帰に必要とされる時間から、使用者が排出した尿量を推定する。
【００８１】
上記したタグ１２を用いて、食塩水を使用した原理確認実験を行った。実験に使用した食塩水は尿と同様の塩分濃度、約０．６％とする。人の排尿量は５０ｃｃ〜３００ｃｃである。そこで、５０ｃｃ〜３００ｃｃの食塩水を滴下して再交信時間を測定する。実験方法として滴下する食塩水を５０ｃｃずつ加えていき、その排水時間を測定していく。同様に１００ｃｃずつ、１５０ｃｃずつ、２００ｃｃずつ、２５０ｃｃずつ、３００ｃｃずつ加えた。また、おむつ有りの場合と無い場合での排水機構の再交信時間を測定した。
【００８２】
図６（Ａ）に排尿量測定システムを用いた再交信時間の測定結果を示す。横軸に再交信時間（尿により交信が途絶えてから回復するまでの時間）、縦軸に累積される食塩水の量をとる。５０ｍｌの場合、一枚のおむつに食塩水を累積させ、各水溶液を一定量ずつ加えていくと、水溶液量が増加するとともに排水時間が長くなっていることが確認できる。単位時間当たりの排水量は一定であるため、食塩水を一定量ずつ加えていくと、おむつの吸収力が低下し、再交信時間が遅くなると考えられる。
【００８３】
上記したように流量は、ｃａ（２ｇＨ）１／２である。すなわち、液体はＨだけの高さを自由に落下した場合と同じ速度で流出することが導出できる。
【００８４】
しかし、市販のおむつは液体を瞬間的に吸収するものではなく、完全に吸収が完了するまでに数秒かかる。そのため排水機構をおむつに内蔵した場合、自由落下と同等の速度で排水機構を通過したと仮定しても液体がおむつに吸収されるまでにタイムラグが発生すると考えられる。そこでＲＦＩＤタグ１３と排水シート２８を組み合わせたもの（Ａ）と、ＲＦＩＤタグ１３と排水シート２８をおむつに内蔵したもの（Ｂ）の２種類のパターンで排水時間の測定を行った。
【００８５】
図６（Ｂ）に測定結果を示す。（Ａ）の測定結果は黒三角、（Ｂ）の測定結果は黒四角でプロットしたものである。（Ａ）の測定値は理論値に近似している。一方で、排水機構をおむつに内蔵した場合は自由落下と同等の速度は得られなかった。即ち、タグ１２はそのままの状態の時よりも、おむつに内蔵されたときの方が、交信が復帰するために必要とされる時間が長くなることが明らかとなった。
【００８６】
次に、原理確認実験とは別に被験者による実験を行った。寝たきりの高齢者を対象としているため、体勢を仰臥位状態で実験を行う必要がある。実際の老人介護施設では、尿とりパッドをペニスに巻きつけ、その上からおむつを装着しているため、同じ方法で実験を行った。排尿後に、おむつが尿を吸収した量を実測値とし、被験者は２２〜２４歳の一般的な成人男性４人で実験を行った。実験結果を図７に示す。
【００８７】
次に、おむつの吸収率と排水速度の関係に関して説明する。排水シートとＲＦＩＤタグをおむつに内蔵した場合の排水速度は、おむつの吸収による影響を考えなければならない。理論値と測定値の傾きは以下の式で求められる。
式４：ｋ＝（実測値の排水速度）／（理論値の排水速度）
＝８．０５６／２５．８６
＝０．３１
この傾きｋをおむつ吸収係数とする。このｋからおむつの排水量と排水時間の関係を求めることができる。
【００８８】
尿量測定システムの再交信時間の計算値は、ＴＤをおむつ吸収による時間、ＴＲを理論値とすると、
式５：ＴＤ＝ｋＴＲ
である。
【００８９】
次に、被験者４名の協力を求め、尿量測定システムを用いて排尿量と再交信までの時間を計測した。計測結果を図８の各図の表にまとめ、図９〜図１０にグラフにまとめた。
【００９０】
測定結果のグラフより、計算値と実測値に似た傾向がみられることがわかる。誤差の原因は電波の交信状況やおむつにかかる圧力も影響していると考えられる。おむつにかかる圧力と排水速度の関係は後述する。
【００９１】
次に、圧力による時間と排水速度の関係に関して説明する。排水シート内蔵のおむつに圧力を加えた場合に、排水速度にどのように影響を及ぼすのか実験を行った。おむつに加える力を０ｇ重、１００ｇ重、２００ｇ重、３００ｇ重、４００ｇ重、５００ｇ重と変化させ、排水時間を測定した。滴下した液体量は１００ｍｌ、２００ｍｌ、３００ｍｌ、圧力を加える面積は排水機構サイズ８０ｍｍ×５０ｍｍである。
【００９２】
測定結果を図１１〜図１４のグラフにまとめた。ここで、図１１はおむつに加える加重が０ｇの場合であり、図１２（Ａ）は加重が１００ｇの場合であり、図１２（Ｂ）は加重が２００ｇの場合であり、図１３（Ａ）は加重が３００ｇの場合であり、図１３（Ｂ）は加重が４００ｇの場合であり、図１４（Ａ）は加重が５００ｇの場合であり、図１４（Ｂ）は圧力と排水時間の傾きの関係を示すグラフである。
【００９３】
これらのグラフより、力を加えていくと排水時間は長くなり、排水時間と排水量の傾きは緩やかになることがわかる。測定結果より、圧力を変数ｘとすれば次の理論式から傾きを求めることができる。
式６：ａ＝ｅ−０．０２Ｘ
この式６で求めたａの値を式２の理論式に当てはめると、
式７：Ｌ＝ａ×（ｎ×Ｑ）×Ｔ
となり排水量を求めることができる。
【００９４】
次に、排尿量測定の評価に関して説明する。上記にて排尿量を測定する実験を行ったが、排尿量の理論値は上記した式２である。
【００９５】
ここで、おむつによる吸収の影響より排水時間は延びるため、吸収係数ｋとすると、
式８：Ｌ＝ｋ×（ｎ×Ｑ）×Ｔ
となる。また上記の考察より圧力により排水時間は大きくなり、傾きは緩やかになっていくため、圧力を変数とすると式６を考慮する必要があるので、
式９：Ｌ＝ａ×ｋ×（ｎ×Ｑ）×Ｔ
となり、これがおむつ吸収剤の吸収とＲＦタグにかかる圧力を考慮した理論式を新しく導出した。これより、排尿量は上記式９で求めることができ、おむつ内の排尿量をより正確に測定することができる。
【００９６】
＜第３の実施の形態＞
本形態では、図１５〜図２０を参照して、図２（Ｂ）に示すタグ１２に備えられる排水シート２８の形状に関して説明する。
【００９７】
先ず図１５を参照して、図２（Ｂ）に示す排水シート２８の形状を最適化するために考慮すべき表面張力に関して説明する。図１５（Ａ）は毛管現象を説明する図であり、図１５（Ｂ）は表面張力の強さに関係するパラメーターを示すための図である。
【００９８】
図１５（Ａ）を参照して、毛細管現象などに知られるように、径の小さいストロー状のガラス管を水に差し込むと管内の水面は重力より強い力で吸い上げられる。上昇している高さをｈとし、管内の直径を２πとする。管の中の液面は中央が凹んだ曲面になる。この現象はメニスカスと呼ばれ、毛管と液体間に発生する表面張力により液面が持ち上がっている。
【００９９】
液体のメニスカス周囲の管の接触したところで考えると、力の垂直上向きの成分は、単位長さ当たりγｃｏｓθで、管と接触している長さ２πｒの円周全体で考えると、その合力は２πｒγｃｏｓθである。γｃｏｓθが毛管と液体の表面張力となる。γは水の場合２０℃で７２．７５ｄｙｎ／ｃｍである。
【０１００】
図１５（Ｂ）を参照して接触角θを説明する。接触角θは温度Ｔ、液滴の表面張力γＬ、固体の表面張力γＳ、液体と固体との界面張力γＳＬによって変わってくる。点Ｃに作用する力が釣り合っているとすると、
γＳＬ−γＳ＋γＬｃｏｓθ＝０
が成り立つ。この式をヤングの方程式と呼び、γｓ＞γＳ＋γＬであると接触角θは存在せず、液体は固体表面を自然に広がっていき、完全に濡らす。つまり、図１５（Ａ）で釣りあげられている液体の質量は、液体の密度をρとすれば、πρｈｒ２になる。これに作用する重力と表面張力で上向きに釣り上げている力が釣り合っていることから、
式１０：２πｒγｃｏｓθ＝πρｈｒ２
が得られる。このように液体は固体に囲まれることにより、より多くの表面張力を発生する。言い換えれば、そこに留まろうとする力が発生しているということになる。式１０を用いて液体にかかる重力と表面張力とを比較し、排水シートの好適な形状を求める。
【０１０１】
式１０で左辺の項は表面張力による力である。図１５（Ｂ）に示すように、この力は液体が固体表面と触れる接触線の長さと接触角θによって力が変化する。それに対し、右辺の項は液体にかかる重力により発生する力であり、液体の体積が減少するにつれて、この力は減少する。
【０１０２】
図１６に、タグを構成するＲＦＩＤタグ１３および排水シート２８の断面を示す。ここでは、簡単のために突起部３１の形状を柱状としている。丸で囲まれるＡ乃至Ｄは、表面張力の影響により尿が残留して、ＲＦＩＤタグ１３の交信回復を困難にする可能性のある場所である。領域Ａは突起部３１とＲＦＩＤタグ１３とが接触する箇所である。領域Ｂは突起部３１同士の間の空間である。領域Ｃは基材３０の上面とＲＦＩＤタグ１３との間の空間である。領域Ｄは基材３０を貫通する貫通孔３２の内部空間である。領域ＥはＲＦＩＤタグ１３の裏面である。これらの箇所にて、表面張力により尿が残留する恐れがあり、多量の尿が残留すると、タグとリーダとの通信が回復しない恐れがある。従って、排水シート２８は、表面張力を低減させて尿が残留しがたい形状である必要がある。
【０１０３】
図１７を参照して、上記した領域Ａの最適な形状を検討する。図１７（Ａ）および図１７（Ｂ）は円柱状の突起部３１を示す図であり、図１７（Ｃ）および図１７（Ｄ）は円錐状の突起部３１を示す図である。
【０１０４】
図１７（Ａ）を参照して、突起部３１の上面はＲＦＩＤタグ１３の下面に当接しておらず、両者の間には空隙が存在している。従って、ＲＦＩＤタグ１３の裏面と、突起部３１の上面との間の空隙に尿が残留してしまう恐れがある。また、ＲＦＩＤタグ１３の裏面と突起部３１の上面との間が短くなると、尿素の体積は減少するが、ＲＦＩＤタグ１３の裏面に尿が塗れる面積は変化しない。
【０１０５】
また、図１７（Ｂ）に示すように、突起部３１の上面をＲＦＩＤタグ１３の下面に密着させると、両者の間に尿が進入することが防止される。しかしながら、突起部３１の上端周辺部がＲＦＩＤタグ１３の裏面に接触する接触線に沿って尿が残留する。この場合、残留する尿の量は、接触線の長さに比例する。
【０１０６】
従って、図１７（Ａ）および図１７（Ｂ）に示した場合では、表面張力の力が重力よりも大きくなるところで、尿がその場所にとどまり続ける。このようになると、残留した尿によりＲＦＩＤタグ１３の交信が阻害される恐れがある。
【０１０７】
この問題を解決するためには、尿が固体に触れる面積を小さくすることが有効である。つまり、円柱形状の突起部３１の半径を小さくすることで、残留する尿の量を少なくすることができる。しかしながら、突起部３１の形が極めて細くなると、紙面上にて上下方向の応力が加わると突起部３１が容易に変形してしまい、基材３０とＲＦＩＤタグ１３との間の空間を確保できなくなる恐れがある。また、極めて細い柱状の突起部３１を多数設けると、突起部３１の変形は防止されるが、細い柱状の突起部３１を形成することは技術的に困難である。
【０１０８】
そこで、本実施の形態では、突起部３１の形状としては、先端部が鋭利に形成される円錐形状または角錐形状が好ましい。
【０１０９】
図１７（Ｃ）を参照すると、円錐形状の突起部３１とＲＦＩＤタグ１３の裏面とは接触せずに、両者の間には間隙が存在する。しかしながら、突起部３１の先端部の面積が小さいので、残留する尿の量が少なくなる。
【０１１０】
図１７（Ｄ）を参照して、突起部３１の先端部がＲＦＩＤタグ１３の裏面に接触した場合を考えると、突起部３１の接触線が極めて短くなるので、この場合でも残留する尿の量が少なくなる。
【０１１１】
更に、突起部３１の形状を円錐形状または角錐形状とすることで、先端の角度を変えるのみで突起部３１の太さを太くして機械的強度を高めることができる。
【０１１２】
図１８を参照して、次に、図１６に示した領域Ｂに関して説明する。図１８は突起部３１同士の間に位置する尿に作用する表面張力を説明するための図である。この図を参照して、直方体の突起部３１同士の間に尿が存在するとし、高さｚまで尿が持ち上がっており、突起部３１同士が離間する距離がｘであり、突起部３１の幅がｙであるとする。そうすると、表面張力は、ＲＦＩＤタグ１３と尿との接触線２ｘと、尿と突起部３１との接触線２ｙによるものがあり、合計として（２ｘ＋２ｙ）γｃｏｓθとなる。一方、尿の体積はｘｙｚであり、尿に作用している重力と表面張力で上向きにつり上げている力は釣り合っているので、
式１１：（２ｘ＋２ｙ）γｃｏｓθ＝ｘｙｚρｇの式が成立する。
【０１１３】
また、式１１を参照すると、高さｚの値は右辺の項のみに係っており、左辺の値はｚに関係がない。このことは、突起部３１の高さｚが低くなると、突起部３１の間に位置する尿が流れず残留する可能性を示唆している。
【０１１４】
更に、突起部３１間の距離ｘが短くなると、式１１の左辺は２ｘγｃｏｓθ＋２ｙγｃｏｓθであるため、第２項である２ｙγｃｏｓθは変化無く垂直上向きの成分であり続けるのに対し、右辺はｘの減少と比例して減少する。このため、突起部３１間の距離ｘが極端に短くなると、この箇所に尿が残留する恐れがある。本実施の形態では、突起部３１同士が離間する距離ｘを、一例として４．６６ｍｍとしている。
【０１１５】
図１９を参照して、次に、図１６に示した領域Ｄに関して説明する。この図を参照して、貫通孔３２の上方に位置する尿に作用する表面張力は重力の向きと逆方向である。そして、この尿に作用する重力は、貫通孔３２の上方に位置する尿の体積によって変化し、この体積はπρｚｒ２であり、表面張力は２πｒγｃｏｓθである。
【０１１６】
従って、２πｒγｃｏｓθ＝πρｚｒ２の時に貫通孔３２の上方に位置する尿はそこに留まり、貫通孔３２から尿が外部に放出されないこととなる。このことにより、貫通孔３２から尿が放出されるようにするためには、２πｒγｃｏｓθ＜πρｚｒ２となるように、貫通孔３２の半径ｒと突起部３１の高さｚを設定する必要がある。例えば、本実施形態では、貫通孔３２の半径ｒを０．５ｍｍとし、突起部３１の高さｚを１．６６ｍｍとしている。
【０１１７】
次に、図１６に示された領域Ｅに関しては、ＲＦＩＤタグ１３の下面に撥水加工を施すことにより、この箇所に付着して留まる尿の量を低減させることができる。この撥水加工とは、シリコン樹脂等の撥水性に優れる樹脂膜によりＲＦＩＤタグ１３の下面を被覆することでよい。
【０１１８】
図２０（Ａ）のグラフを参照して、上記した構成のタグ１２を使用して、通信の回復に必要とされる時間を計測した結果を説明する。この実験では、７枚のおむつを２人の健常な２３歳〜２４歳成人男性で使用して実験を行った。実験では、尿取りパッドをペニスに巻き付け、１枚のパッドに対してタグが交信停止するまで複数回の失禁を行い、交信が回復するまでの時間を計測した。
【０１１９】
このグラフの横軸は尿により通信が途絶えたタグの通信の回復に要した時間を示し、縦軸は回復率を示している。グラフに示されているように、失禁によりタグとリーダとの交信が途絶えても、１００秒後には８０％程度の割合で交信が回復している。そして、１３０秒後には９０％程度の割合で通信が回復している。また、シリコン樹脂で排水シートを成型した場合でも、人工芝生を排水シートとして用いた場合でも、タグの交信を良好に回復させることができた。
【０１２０】
図２０（Ｂ）のグラフを参照して、通信の回復に必要とされる時間を説明する。このグラフでは、横軸は交信回復の回数を示し、縦軸は交信回復に必要とされる時間を１回目との比率で示している。ここでは、複数回（６回）の実験を行った。このグラフから明らかなように、回復回数が増えるごとに回復時間が増加する傾向がある。
【０１２１】
また、実験によると、尿により通信が途絶えたタグが通信を回復させる回数の平均は２．９回程度であり、最高では４回の交信の回復が行われている。従って、本実施形態のタグによれば、複数の失禁を確実に検出することが可能となる。
【０１２２】
なお、上記は、ベッドに横臥した状態の使用者に掛ける敷布の主面または内部に組み込まれることを前提としていたが、使用者が、椅子、車椅子に座席している場合でも同様に適用できる。前記敷布は、イスに座席した前記使用者のひざに掛けられて使用される。椅子でも上記同様反磁性の問題がある。また、椅子の座席に敷布を引くより、使用者に掛けた方が、上記と同様によい。その他、上記と同様に以下が言える。前記リーダアンテナの幅は、前記使用者の胴体の幅よりも狭い場合、椅子による影響なく通信できる。椅子にリーダアンテナが接しないことが有効である。リーダアンテナを貫く方向の通信範囲を、使用者の体の厚みよりも長くするとよい。おむつの中の水分は、使用者が排泄した尿であることがよい。制御装置では、ＲＦＩＤとリーダアンテナとの通信状況の変化を基に、おむつの内部における尿の存在の有無を判断することも前記と同様である。制御装置では、ＲＦＩＤとリーダアンテナとの通信が途絶えてから復帰するまでの時間を基に、使用者が排泄した尿の量を算出することもできる。
【符号の説明】
【０１２３】
１０      おむつ
１１      尿検出装置
１２      タグ
１３      ＲＦＩＤタグ
１４      リーダ
１５      基板
１６      アンテナ
１８      通信制御部
２０      演算部
２２      アンテナ
２４      ＩＣチップ
２６      開口部
２８      排水シート
３０      基材
３２      貫通孔
３４      被介護者
３６      コンピュータ
３８      介護者
４０      敷布
４２      スプリングベッド
４４      スプリング
４６      接続線
４８      接続線
５２      尿
【図１】
2011067620.tif 000003
【図２】
2011067620.tif 000004
【図３】
2011067620.tif 000005
【図４】
2011067620.tif 000006
【図５】
2011067620.tif 000007
【図６】
2011067620.tif 000008
【図７】
2011067620.tif 000009
【図８】
2011067620.tif 000010
【図９】
2011067620.tif 000011
【図１０】
2011067620.tif 000012
【図１１】
2011067620.tif 000013
【図１２】
2011067620.tif 000014
【図１３】
2011067620.tif 000015
【図１４】
2011067620.tif 000016
【図１５】
2011067620.tif 000017
【図１６】
2011067620.tif 000018
【図１７】
2011067620.tif 000019
【図１８】
2011067620.tif 000020
【図１９】
2011067620.tif 000021
【図２０】
2011067620.tif 000022